(57)【要約】【課題】ザッピング操作の際に選局されるチャンネルがユーザの嗜好に適したものとなり、ユーザが興味を持った番組をすばやく視聴できるようにする。【解決手段】デジタル放送受信装置１００は、各チャンネルについて、各チャンネルを別のチャンネルに変更した回数の最も多い最多チャンネルを記憶し、その記憶されている最多チャンネルに基づき、次に選局されるチャンネルを予測し、複数のチューナのうちの第１のチューナを用いて第１のチャンネルの番組を視聴しているときは、予測チャンネルを複数のチューナのうちの第２のチューナを用いて選局するように制御する。【選択図】図２
2008294860.tif 000002
【特許請求の範囲】
【請求項１】
デジタル放送の放送波を選択して同じ周波数帯域を受信する複数のチューナを備えたデジタル放送受信装置であって、
各チャンネルについて、該各チャンネルを別のチャンネルに変更した回数の最も多い最多チャンネルを記憶するチャンネル記憶手段と、
該チャンネル記憶手段に記憶されている前記最多チャンネルに基づき、次に選局されるチャンネルを予測するチャンネル予測手段と、
前記複数のチューナのうちの第１のチューナを用いて第１のチャンネルの番組を視聴しているときは、前記チャンネル予測手段が予測した予測チャンネルを前記複数のチューナのうちの第２のチューナを用いて選局するように制御する選局制御手段を有することを特徴とするデジタル放送受信装置。
【請求項２】
前記チャンネル記憶手段が前記最多チャンネルを曜日および時間帯ごとに記憶し、
前記チャンネル予測手段は、前記チャンネルデータ記憶手段に記憶されている前記最多チャンネルのうちの前記第１のチャンネルの番組が視聴されている曜日および時間帯に対応する対応チャンネルに基づき前記次に選局されるチャンネルの予測を行うことを特徴とする請求項１記載のデジタル放送受信装置。
【請求項３】
前記複数のチューナのいずれかを用いて選局した各チャンネルの選局実績を記憶する選局実績記憶手段を更に有し、
前記チャンネル予測手段は前記選局実績記憶手段に記憶されている前記選局実績に基づき、各チャンネルが選局される確率の最も高いチャンネルを予測することを特徴とする請求項１または２記載のデジタル放送受信装置。
【請求項４】
前記選局実績記憶手段は、前記複数のチューナのいずれかを用いて選局した各チャンネルにおける番組の総視聴時間に対する各チャンネルの視聴時間の割合を前記選局実績として記憶していることを特徴とする請求項３記載デジタル放送受信装置。
【請求項５】
前記選局実績記憶手段は、前記選局実績を曜日および時間帯ごとに記憶していることを特徴とする請求項３または４記載のデジタル放送受信装置。
【請求項６】
前記選局制御手段は、前記第１のチューナを用いて前記第１のチャンネルの番組を視聴しているときに該第１のチャンネルを第２のチャンネルに切り換えるチャンネル操作が行われたときは、決められた長さの待機時間を経過するまで前記第１のチューナを用いて前記第１のチャンネルを選局し、前記待機時間を経過した後、前記第１のチューナを用いた前記第１のチャンネルの選局を中止するように制御することを特徴とする請求項１〜５のいずれか一項記載デジタル放送受信装置。
【請求項７】
デジタル放送の放送波を選択して受信する複数のチューナを用いたデジタル放送受信方法であって、
各チャンネルについて、該各チャンネルを別のチャンネルに変更した回数の最も多い最多チャンネルを記憶し、
該記憶されている前記最多チャンネルに基づき、次に選局されるチャンネルを予測し、
前記複数のチューナのうちの第１のチューナを用いて第１のチャンネルの番組を視聴しているときは、前記予測チャンネルを前記複数のチューナのうちの第２のチューナを用いて選局するように制御することを特徴とするデジタル放送受信方法。
【発明の詳細な説明】
【技術分野】
【０００１】
本発明は、地上デジタル放送、衛星デジタル放送等の放送波を受信するチューナを複数備えたデジタル放送受信装置およびデジタル放送受信方法に関する。
【背景技術】
【０００２】
近年、地上デジタル放送や、ＢＳ（BroadcastingSatellite）放送、１１０度ＣＳ（Communication Satellite）放送といった衛星デジタル放送の放送波を受信して、デジタル化された映像信号および音声信号を再生するデジタル放送受信装置が普及している。
【０００３】
従来、様々なデジタル放送受信装置が知られているが、例えば特許文献１には、次のようなデジタル放送受信装置が開示されている。このデジタル放送受信装置は、所定時間を超えて視聴された番組のチャンネル情報を記憶して、ユーザがザッピング操作を行った上で戻るボタンを押下したときは、その記憶したチャンネル情報を選択するチャンネルとして設定することによって、元のチャンネルにすばやく戻れるようになっている。
【特許文献１】特開２００５−１２４１０４号公報
【発明の開示】
【発明が解決しようとする課題】
【０００４】
上記従来のデジタル放送受信装置の場合、元のチャンネルの番組視聴時間が他のチャンネルよりも長くなっているときは、ザッピングでチャンネルを変更しても元のチャンネルにすばやく戻れるようになっている。
【０００５】
しかし、ザッピング中における各チャンネルの番組視聴時間はユーザが興味を持ったこととは別の理由で長くなることもあり、ザッピング中の番組視聴時間が長くなったチャンネルで必ずしもユーザの視聴しようとしている番組が放送されているとは限らない。そのため、上記従来のデジタル放送受信装置は、ザッピング中にユーザが興味をもった番組がすばやく視聴できない場合があり、選局するチャンネルがユーザの嗜好に適しているとはいえない場合があった。
【０００６】
そこで、本発明は上記課題を解決するためになされたもので、ザッピングの際に選局されるチャンネルがユーザの嗜好に適したものとなり、ユーザが興味を持った番組をすばやく視聴できるようにしたデジタル放送受信装置およびデジタル放送受信方法を提供することを目的とする。
【課題を解決するための手段】
【０００７】
上記課題を解決するため、本発明は、デジタル放送の放送波を選択して同じ周波数帯域を受信する複数のチューナを備えたデジタル放送受信装置であって、各チャンネルについて、その各チャンネルを別のチャンネルに変更した回数の最も多い最多チャンネルを記憶するチャンネル記憶手段と、そのチャンネル記憶手段に記憶されている最多チャンネルに基づき、次に選局されるチャンネルを予測するチャンネル予測手段と、複数のチューナのうちの第１のチューナを用いて第１のチャンネルの番組を視聴しているときは、チャンネル予測手段が予測した予測チャンネルを複数のチューナのうちの第２のチューナを用いて選局するように制御する選局制御手段を有するデジタル放送受信装置を特徴とする。
【０００８】
さらに、本発明は、デジタル放送の放送波を選択して受信する複数のチューナを用いたデジタル放送受信方法であって、各チャンネルについて、その各チャンネルを別のチャンネルに変更した回数の最も多い最多チャンネルを記憶し、その記憶されている最多チャンネルに基づき、次に選局されるチャンネルを予測し、複数のチューナのうちの第１のチューナを用いて第１のチャンネルの番組を視聴しているときは、予測チャンネルを複数のチューナのうちの第２のチューナを用いて選局するように制御するデジタル放送受信方法を提供する。
【発明の効果】
【０００９】
以上詳述したように、本発明によれば、ザッピングの際に選局されるチャンネルがユーザの嗜好に適したものとなり、ユーザが興味を持った番組をすばやく視聴できるようにしたデジタル放送受信装置およびデジタル放送受信方法が得られる。
【発明を実施するための最良の形態】
【００１０】
以下、本発明の実施の形態について説明する。なお、同一要素には同一符号を用い、重複する説明は省略する。
【００１１】
（第１の実施の形態）
図１は、本発明の実施の形態に係るデジタル放送受信装置１００の構成を示すブロック図である。図１に示すように、デジタル放送受信装置１００は同じ機能を備えた２つのデジタルチューナ１０１，１２１を有し、そのほか、復調回路１０２，１２２と、ＴＳプロセッサ１０３，１２３と、ＭＰＥＧデコーダ１０４，１２４とを有している。
【００１２】
また、デジタル放送受信装置１は、コントローラ１３１と、ＯＳＤ回路１３２と、Ｄ／Ａコンバータ１３３，１３５と、モニタ１３４、スピーカ１３６、メモリ１３７を有している。
【００１３】
デジタルチューナ１０１，１２１は、いずれも地上デジタル放送用のアンテナ１５０が受け取った放送波が供給される。そして、デジタルチューナ１０１，１２１は、それぞれアンテナ１５０から供給される放送波から、指定されたチャンネルに対応する所定周波数の信号成分を選択して受信する受信処理を行い、復調回路１０２，１２２に出力する。
【００１４】
復調回路１０２，１２２は、それぞれデジタルチューナ１０１，１２１によって抽出された信号成分について、所定の復調処理を施し、さらに誤り訂正等の処理を施して、それぞれトランスポートストリーム（Transport Stream）ＴＳ１、ＴＳ２を生成する。生成されるトランスポートストリームＴＳ１、ＴＳ２は、それぞれＴＳプロセッサ１０３，１２３に入力される。
【００１５】
ＴＳプロセッサ１０３，１２３は、入力されるトランスポートストリームＴＳ１、ＴＳ２のＴＳパケットに付加されているパケットＩＤ（ＰＩＤ）を識別し、選局情報であるセクションや、映像、音声等のＥＳ（Elementary Stream）を抽出する。
【００１６】
また、ＴＳプロセッサ１０３，１２３は、後述するＰＡＴ（Program Association Table)、ＰＭＴ（Program Map Table)を取得することによって、受信すべき映像および音声等のパケットＩＤを認識し、認識したパケットＩＤと一致するパケットＩＤのＴＳパケットをＭＰＥＧデコーダ１０４，１２４に出力する。
【００１７】
さらに、ＴＳプロセッサ１０３，１２３は、入力されるＴＳパケットからＳＩ（Service Information）情報を分離し、マイクロプロセッサ１３１に供給する。
【００１８】
ここで、ＰＡＴは、放送番組に関連するＰＭＴを伝送するＴＳパケットのパケットＩＤの情報を有している。
【００１９】
また、ＰＭＴは、放送番組を構成する各符号化信号(映像信号、音声信号など)を伝送するＴＳパケットのパケットＩＤおよび有料放送の関連情報のうち、共通情報（例えばＥＣＭ：EntitlementControl Message；番組に関する情報とデスクランブルのための鍵など）を伝送するＴＳパケットのパケットＩＤの情報を有している。
【００２０】
ＭＰＥＧデコーダ１０４，１２４は、いずれも入力されたＴＳパケットに復号化処理を施してデジタル映像信号およびデジタル音声信号を再生する。このうち、デジタル映像信号はＯＳＤ回路１３２に入力され、デジタル音声信号はＤ／Ａコンバータ１３５に入力される。
【００２１】
ＯＳＤ回路１３２は、入力されるデジタル映像信号について、ＯＳＤ（On  Screen  Display）信号を重畳して、Ｄ／Ａコンバータ１３３に出力する。このＯＳＤ信号は、ＴＳプロセッサ１０３，１２３から出力されるＳＩ情報に基づいて、コントローラ１３１が生成している。
【００２２】
コントローラ１３１は、図示しないＭＰＵ（Micro  Processing  Unit）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。
【００２３】
コントローラ１３１は、ＲＯＭに記憶されている制御プログラムに従い上述の各モジュールを制御して、映像表示や音声出力などを統括する。また、コントローラ１３１は、ユーザの操作するリモートコントローラ（リモコンともいう）１３８の操作情報を図示しない赤外線受光部を介して受信し、その受信した情報に従って動作を制御する。
【００２４】
そして、Ｄ／Ａコンバータ１３３，１３５はそれぞれ入力されるデジタル映像信号、デジタル音声信号をアナログ映像信号、アナログ音声信号に変換して出力する。モニタ１３４はアナログ映像信号を用いて視聴中の番組内容を示す映像を表示するディスプレイパネルである。スピーカ１３６はアナログ音声信号を用いて音声を出力する。メモリ１３７は後述する最多チャンネルテーブル１３９が記憶されており、チャンネル記憶手段としての機能を有している。
【００２５】
次に、以上の構成を有するデジタル放送受信装置１００における予測選局処理の動作内容について図２、図３を参照して説明する。ここで、図２はデジタル放送受信装置１００における予測選局処理に関る構成を模式的に示した図、図３は予測選局処理の動作手順の一例を示すフローチャートである。
【００２６】
デジタル放送受信装置１００では、デジタルチューナ１０１，１２１によって、地上デジタル放送の放送波を受信し、地上デジタル放送の番組を視聴することができる。地上デジタル放送では、ＶＨＦの１チャンネル〜１２チャンネル（１ＣＨ〜１２ＣＨ）、ＵＨＦの１３チャンネル〜６２チャンネル（１３ＣＨ〜６２ＣＨ）、ケーブルテレビの１３チャンネル〜６３チャンネル（１３ＣＨ〜６３ＣＨ）がある。
【００２７】
これらのチャンネルは、ユーザがリモコン１３８を用いたチャンネル操作（以下「リモコン操作」という）などの所定の操作による選局指示を行うことによって、いずれか１つが指定される。選局指示に対応したチャンネルは選局チャンネルである。
【００２８】
図２はユーザの選局指示によって、９チャンネル（９ＣＨ）が選局され、ユーザがモニタ１３４を見て９チャンネルの番組を視聴している場合の予測選局処理を示している。
【００２９】
そして、デジタル放送受信装置１００では、ユーザの選局指示を受けてコントローラ１３１が選局制御手段として作動し、予測選局処理を図３に示すフローチャートに沿って実行する。本実施の形態において予測選局処理とは、一方のデジタルチューナ（本実施の形態ではデジタルチューナ１０１）を用いてユーザの選局指示に対応した選局チャンネルの番組視聴が行われているときは、次に切り替えられるであろうチャンネルを予測して、その予測したチャンネルを番組視聴に用いられていないもう一方のデジタルチューナ（本実施の形態ではデジタルチューナ１２１）を用いて選局することを意味している。
【００３０】
まず、コントローラ１３１は予測選局処理を開始すると、デジタルチューナ１０１に指示して選局チャンネル（本実施の形態では９チャンネル）の選局を行う。
【００３１】
次に、コントローラ１３１はＳ２に進み、最多チャンネルテーブル１３９にアクセスして、後述する最多チャンネルデータ１４０の更新を行う。続いて、コントローラ１３１はＳ３に進み、チャンネル予測手段としての動作を行い、最多チャンネルテーブル１３９に格納されている最多チャンネルデータ１４０に基づき、次に選局されるであろうチャンネルを予測する。ここで、予測されるチャンネルを予測チャンネルという。
【００３２】
そして、コントローラ１３１はＳ４に進み、Ｓ３で予測された予測チャンネルをデジタルチューナ１２１によって選局してその後、予測選局処理を終了する。
【００３３】
最多チャンネルテーブル１３９は図２に示すように、各曜日（月、火、水、木、金、土、日）における所定の時間帯ごとに割り当てられた格納部１３９ａを複数有している。コントローラ１３１は複数の格納部１３９ａのうち、デジタルチューナ１０１が選局チャンネルを選局している曜日および時間帯に対応する格納部１３９ａから最多チャンネルデータ１４０を読み出し、その最多チャンネルデータ１４０に基づき次に選局されるであろうチャンネルを予測する。
【００３４】
なお、図２に示す最多チャンネルテーブル１３９では、時間帯が“朝”、“昼”、“晩”の３つに区分されているが、８時から９時、９時から１０時といったように１時間ごとに区分してもよく、また、２時間ごとに区分してもよいし、そのほかの時間ごとに区分してもよい。
【００３５】
最多チャンネルデータ１４０は、各チャンネルについて、その各チャンネルを別のチャンネルに変更した回数の最も多い最多チャンネルを記憶している。現在チャンネル１４０ａは、それまで選局されていたチャンネルが記憶され、次チャンネル１４０ｂは、各チャンネルから変更された後のチャンネルのうち、最も変更された回数の多い最多チャンネルが記憶されている。
【００３６】
図２では、各格納部１３９ａのうちの“火曜日”の時間帯“昼”に対応する格納部１３９ａに格納されている最多チャンネルデータ１４０を示していて、これによると例えば、“９チャンネル”を視聴しているときはそこから“７チャンネル”に変更された回数が最も多い、ということになる。
【００３７】
そのため、最多チャンネルデータ１４０は、各曜日の該当する時間帯において、あるチャンネルの番組を視聴していたときは、そのチャンネルからどのチャンネルに遷移しやすいか、というユーザが行うチャンネル切り替えの嗜好を示している。
【００３８】
したがって、例えば、最多チャンネルデータ１４０のうちの現在のチャンネル１４０ａを参照すると、対応する次のチャンネル１４０ｂから、その後に切り替えられるであろうチャンネルを予測でき、この予測されたチャンネルはその次に切り替えられる確率の最も高いチャンネル、すなわち、最も選局される確率の高い高確率チャンネルとなる。
【００３９】
そして、Ｓ２において、最多チャンネルデータ１４０を更新する場合、コントローラ１３１は各チャンネルについて、それまでのリモコン操作で他のチャンネルに変更された回数をカウントしておき、その中で最も回数の多いチャンネルを最多チャンネルとして最多チャンネルデータ１４０に記憶させている。
【００４０】
また、Ｓ３において、コントローラ１３１が予測チャンネルを予測する場合、コントローラ１３１はデジタルチューナ１０１が選局しているチャンネルにしたがって現在チャンネル１４０ａを参照し、対応するチャンネルを次チャンネル１４０ｂから読み出す。
【００４１】
すると、本実施の形態では、デジタルチューナ１０１によって、９チャンネルが選局されており、その曜日および時間帯が“火曜日”の“昼”なので、コントローラ１３１は最多チャンネルテーブル１３９にアクセスして、各格納部１３９ａのうちの“火曜日”の時間帯“昼”に対応する格納部１３９ａから最多チャンネルデータ１４０を読み出す。
【００４２】
また、コントローラ１３１は読み出した最多チャンネルデータ１４０から、番組視聴中の９チャンネルに対応付けられている７チャンネル（７ＣＨ）を読み出す。そして、コントローラ１３１はその７チャンネルをデジタルチューナ１２１を用いて選局するように制御する。
【００４３】
以上のように、デジタル放送受信装置１００は、デジタルチューナ１０１，１２１を用いて選局した各チャンネルについて、他のチャンネルに変更した回数の最も多い最多チャンネルをメモリ１３７に記憶しておき、メモリ１３７に記憶されている最多チャンネルデータ１４０に基づき最も選局されやすいチャンネルを予測して、番組の視聴に用いているデジタルチューナ１０１とは別のデジタルチューナ１２１で予測チャンネルを選局している。
【００４４】
そのため、ユーザが９チャンネルの番組視聴中にザッピングを行ってチャンネルを切り替えると、その切り替え操作が行われる前に、最も選局されやすいチャンネル（７チャンネル）がすでにデジタルチューナ１２１で選局されていることになる。また、この最も選局されやすいチャンネルはユーザがそれまでに行った選局実績に基づいて決められている。
【００４５】
したがって、デジタル放送受信装置１００は、ザッピング操作の際に選局されるチャンネルがユーザの嗜好に適したものとなり、ユーザが興味をもった番組をチャンネル切替え後にすばやく視聴できるようになっている。
【００４６】
（第２の実施形態）
第１の実施の形態では、メモリ１３７に最多チャンネルテーブル１３９が格納されていたが、本実施の形態におけるデジタル放送受信装置１００では、メモリ１３７に図４に示す選局率データ１４１が最多チャンネルテーブル１３９とともにまたは最多チャンネルテーブル１３９とは別に格納されている。
【００４７】
選局率データ１４１は、ユーザがデジタル放送受信装置１００を購入等して使い始めてから現在までにおけるすべてのチャンネルの視聴時間（総視聴時間）のうち、各チャンネルの視聴時間の割合を示すデータがチャンネルごとに格納されている。このデータは各チャンネルの選局される割合を示すと考えられる。
【００４８】
選局率データ１４１はデジタルチューナ１０１またはデジタルチューナ１２１によってそれまでに各チャンネルが選局された実績を示しているので、メモリ１３７が選局実績記憶手段としての機能を有している。
【００４９】
図４に示す選局率データ１４１では、２チャンネルが“３０％”となっているので、例えば総視聴時間が１００時間であるときは、そのうちの３０時間が２チャンネルの番組視聴時間である。
【００５０】
そして、本実施の形態におけるデジタル放送受信装置１００では、図６に示すフローチャートに沿って、予測選局処理を実行する。
【００５１】
まず、コントローラ１３１は予測選局処理を開始すると、第１の実施の形態と同様に、デジタルチューナ１０１に指示して選局チャンネル（本実施の形態では３チャンネル）の選局を行う。
【００５２】
続いてＳ５に進み、コントローラ１３１は選局率データ１４１にアクセスして、各チャンネルの選局率データの更新を行う。また、コントローラ１３１はＳ６に進み、選局率算出手段としての動作を行い、選局率データ１４１に基づき、次に選局されるであろう確率（選局確率）の最も高いチャンネルを決定する。さらに、Ｓ７に進み、Ｓ６で決定されたチャンネル（高確率チャンネル）をデジタルチューナ１２１で選局して予測選局処理を終了する。
【００５３】
本実施の形態の場合、図４に示した選局率データ１４１では、２チャンネルの視聴時間が全体の３０％である。したがって、２チャンネルがそれまでに最も長い時間、番組が視聴されていた、ということになるから、ユーザの希望する番組の放送されている確率は、２チャンネルが最も高いと考えられる。そのため、デジタルチューナ１２１で２チャンネルを選局しておくことによって、ザッピング操作の際に選局されるチャンネルがユーザの嗜好に一致したものとなる。
【００５４】
このように、本実施の形態では、デジタルチューナ１０１，１２１を用いて選局した各チャンネルの選局実績を示す選局率データ１４１をメモリ１３７に記憶しておき、メモリ１３７に記憶されている過去の選局実績に基づき高確率チャンネルをデジタルチューナ１２１で選局している。そのため、本実施の形態におけるデジタル放送受信装置１００も、ユーザの嗜好に適したチャンネルをすばやく選局することができ、ユーザが興味をもった番組をチャンネル切替え後にすばやく視聴できるようになる。
【００５５】
そして、本実施の形態におけるデジタル放送受信装置１００でも、図５に示すように、第１の実施の形態におけるデジタル放送受信装置１００と同様にメモリ１３７に最多チャンネルテーブル１３９と同様の構成を備えた選局実績テーブル１４２を記憶させ、各格納部１４２ａに選局率データ１４１を記憶させてもよい。
【００５６】
また、選局実績テーブル１４２は視聴時間から割り出される選局率データ１４１のかわりに、すべてのチャンネルの選局回数の総和（総選局回数）のうち、各チャンネルの選局回数の割合を示す選局率データ１４３を格納してもよい。
【００５７】
なお、図５に示す選局実績テーブル１４２は“月曜”の時間帯“朝”に対応する格納部１３９ａに選局率データ１４３が格納されている。また、この選局率データ１４３では、１チャンネルが“５０％”になっているので、すべてのチャンネルの選局実績のうち、半分の５０％が１チャンネルであったことを示している。
【００５８】
このようにしても、第１の実施の形態と同様に、各曜日の時間帯ごとに最も適した高確率チャンネルをデジタルチューナ１２１で選局しておき、ユーザが興味をもった番組をチャンネル切替え後にすばやく視聴できるようにできる。
【００５９】
（第３の実施の形態）
本実施の形態では、番組視聴中にユーザがザッピングを行い、チャンネルの切替を行ったときに待機選局処理を行って、元のチャンネルを一定時間、選局しておき、チャンネル切り替えの高速化を図ろうとしている。
【００６０】
本実施の形態におけるデジタル放送受信装置１００は図７に示すフローチャートに沿って待機選局処理を行う。
【００６１】
デジタル放送受信装置１００は待機選局処理を開始すると、Ｓ１１に進み、一定時間を経過するまで待機して、一定時間を経過するとＳ１２に進み、チャンネルが切り替わったかどうかを判定する。ここで、チャンネルが切り替わったと判定されたときはＳ１３に進むが、そうでなければＳ１１に戻る。
【００６２】
Ｓ１３では、EPG（Electronic  Program  Guide）から番組情報を取得し、続くステップ１４では、一定時間以上、元のチャンネルの番組が視聴されていたか否かを判定する。一定時間以上、元のチャンネルの番組が視聴されていたときはＳ１５に進むがそうでなければＳ１１に戻る。
【００６３】
Ｓ１５に進むと、元のチャンネルをデジタルチューナ１２１で選局する。続くステップ１６では、後述する待機時間を経過するまで待機して、待機時間を経過するとＳ１７に進み、デジタルチューナ１２１での選局を中止してＳ１１に戻る。
【００６４】
ここで、待機時間とは、デジタルチューナ１２１で元のチャンネルの選局を継続する時間を意味し、本実施の形態では、テレビＣＭ（Commercial  Message）の一般的な放送時間とされる２分間に設定されているが、その他の時間にしてもよい。
【００６５】
このように、本実施の形態では、チャンネルが切り替わった場合において、元のチャンネルの番組が一定時間以上視聴されていたときは、待機時間を経過するまで元のチャンネルの選局を継続し、待機時間を経過した後は元のチャンネルの選局を中止するようにしている。
【００６６】
元のチャンネルの番組が一定時間以上視聴されていたときは、ユーザがそのチャンネルの番組を興味を持って視聴していると考えられ、そのような場合はたとえユーザがザッピングで他のチャンネルに変更しても、また、元のチャンネルに変更するチャンネル操作を行うことが多いと考えられる。
【００６７】
ユーザが興味を持って視聴していたチャンネルを一旦別のチャンネルに変更したのち、元のチャンネルに変更するチャンネル操作を行うときは元のチャンネルの番組放送中にテレビＣＭの放送が開始され、そのテレビＣＭの視聴を避けようとして他のチャンネルに変更するチャンネル操作を行ったと考えられる。また、ユーザはテレビＣＭが終わったころを見計らって元のチャンネルに戻すチャンネル操作を行うとも考えられる。
【００６８】
そのため、上記のようにして、ユーザが興味を持って視聴していたチャンネルを一旦別のチャンネルに変更したものの、待機時間を経過する前に元のチャンネルに変更するときは、デジタルチューナ１２１で元のチャンネルを選局しておけば、ユーザが元のチャンネルをすばやく視聴できるようになる。
【００６９】
しかしながら、待機時間を経過しても元のチャンネルに変更しないときは、最早ユーザが元のチャンネルの番組に興味を示さなくなったと考えられる。そのため、デジタル放送受信装置１００は待機時間の間だけ、元のチャンネルの選局を継続するようにしている。
【００７０】
上記各実施の形態では、地上デジタル放送を受信するデジタル放送受信装置１００を例にとって説明したが、本発明は、衛星デジタル放送を受信するデジタル放送受信装置についても適用することができる。
【００７１】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７２】
【図１】本発明の実施の形態に係るデジタル放送受信装置の構成を示すブロック図である。
【図２】第１の実施の形態に係るデジタル放送受信装置における予測選局処理の動作を模式的に示した図である。
【図３】予測選局処理の動作手順の一例を示すフローチャートである。
【図４】第２の実施の形態に係るデジタル放送受信装置における予測選局処理の動作を模式的に示した図である。
【図５】第２の実施の形態に係るデジタル放送受信装置における別の予測選局処理の動作を模式的に示した図である。
【図６】第２の実施の形態に係るデジタル放送受信装置における予測選局処理の動作手順の一例を示す図である。
【図７】第３の実施の形態に係るデジタル放送受信装置における待機選局処理の一例を示す図である。
【符号の説明】
【００７３】
１００…デジタル放送受信装置、１０１，１２１…デジタルチューナ、１０２，１２３…復調回路、１０３，１２３…ＴＳプロセッサ、１０４，１２４…ＭＰＥＧデコーダ、１３７…メモリ、１３９…最多チャンネルテーブル、１４０…最多チャンネルデータ、１４１…視聴時間テーブル、１４２…選局実績テーブル
【図１】
2008294860.tif 000003
【図２】
2008294860.tif 000004
【図３】
2008294860.tif 000005
【図４】
2008294860.tif 000006
【図５】
2008294860.tif 000007
【図６】
2008294860.tif 000008
【図７】
2008294860.tif 000009